(57)【要約】【課題】組み立て及び解体が容易であり、且つ設置場所と周辺環境にかかわることなく設置することができる組み立て式バンガローを提供する。【解決手段】長さ調節可能な脚部１０及び長さ調節可能な柱部８０から成る複数の支柱と、脚部１０の上端同士を離間可能に連結する下部フレーム体３０と、柱部８０の上端同士を離間可能に連結する上部フレーム体１００と、下部フレーム体３０で囲まれた内部において下部フレーム体３０間に取り外し可能に架設する床支持フレーム体５０と、柱部８０の上端間においてアーチ状に湾曲した状態で取り外し可能に架設するループポール１１０と、互いに離間可能に連結されて下部フレーム体３０で囲まれた内部で且つ床支持フレーム体５０上に取り外し可能に設置する複数枚の床板材７０と、上部フレーム体１００で囲まれた空間を覆うべくループポール１１０上に取り外し可能に設置する布材１２０を備えている。【選択図】        図１
2004270432.tif 000002
【特許請求の範囲】
【請求項１】
複数の支柱と、
上記支柱の下端寄りの部位同士を離間可能に連結する下部フレーム体と、
上記支柱の上端同士を離間可能に連結する上部フレーム体と、
上記下部フレーム体で囲まれた内部において下部フレーム体間に取り外し可能に架設する床支持フレーム体と、
上記支柱の上端間においてアーチ状に湾曲した状態で取り外し可能に架設するループポールと、
上記下部フレーム体で囲まれた内部で且つ上記床支持フレーム体上に取り外し可能に設置する床と、
上記上部フレーム体で囲まれた空間を覆うべく上記ループポール上に取り外し可能に設置する屋根材を備えていることを特徴とする組み立て式バンガロー。
【請求項２】
長さ調節可能な脚部及び長さ調節可能な柱部から成る複数の支柱と、
上記支柱の脚部の上端同士を離間可能に連結する下部フレーム体と、
上記支柱の柱部の上端同士を離間可能に連結する上部フレーム体と、
上記下部フレーム体で囲まれた内部において下部フレーム体間に取り外し可能に架設する床支持フレーム体と、
上記支柱の上端間においてアーチ状に湾曲した状態で取り外し可能に架設するループポールと、
互いに離間可能に連結されて上記下部フレーム体で囲まれた内部で且つ上記床支持フレーム体上に取り外し可能に設置する複数枚の床板材と、
上記上部フレーム体で囲まれた空間を覆うべく上記ループポール上に取り外し可能に設置する屋根材を備えていることを特徴とする組み立て式バンガロー。
【請求項３】
上記脚部は、互いに直径が異なり且つ複数の長さ調節用孔を長手方向に沿って有する複数のチューブを入れ子式に連結して成り、上記複数のチューブの互いに重ね合わせた長さ調節用孔に挿通して軸方向の移動を規制する固定ピンを具備している請求項２に記載の組み立て式バンガロー。
【請求項４】
上記脚部は、上記脚部の最も下側に位置するチューブに上端部を挿入し且つ下端部を尖頭状に形成したボディと、このボディの周囲に位置する外向きフランジと、上記ボディの尖頭状をなす下端部から軸方向に突出して設けた釘状部材とから成る固定部材を具備している請求項３に記載の組み立て式バンガロー。
【請求項５】
上記柱部は、筒状の外側管体及びこの外側管体に摺動自在に挿入する筒状の内側管体を具備し、上記外側管体には多数の長さ調節用孔を長手方向に沿って所定の間隔をおいて形成すると共に、内側管体には押し込み可能に表面から突出して外側管体の適宜長さ調節用孔に係止する弾性係止突起を設けた請求項２〜４のいずれか１つの項又は３に記載の組み立て式バンガロー。
【請求項６】
上記下部フレーム体は、互いに同一の断面形状を有する一対の管体及びこれら一対の管体の双方の中空部に挿入する連結部材を具備し、上記管体には係止孔をそれぞれ設けると共に、上記連結部材の中空部挿入部分には押し込み可能に表面から突出して管体の係止孔に係止する弾性係止突起をそれぞれ設けた請求項１〜５のいずれか１つの項に記載の組み立て式バンガロー。
【請求項７】
上記脚部の最も上側に位置するチューブに上端部を挿入する挿入部と、この挿入部の上方に位置して互いに直交する下部フレーム体の各端部をそれぞれ収容する一対の収容溝と、上記挿入部の中心及び上記収容溝を貫通して設けられて上記柱部の下端部にねじ込み可能としたボルトを一体的に具備した下部ジョイントを備えている請求項２〜６のいずれか１つの項に記載の組み立て式バンガロー。
【請求項８】
上記下部フレーム体の上側部分を取り囲む上ボディと、この上ボディに回動自在に結合されて上記下部フレーム体の下側部分を取り囲む下ボディを有するクランプを備え、上ボディは、開放端に位置する折り返し係止溝及び中間部に位置して上記床支持フレーム体の端部と結合するフランジを有し、下ボディは、開放端に回動自在に結合する把持部及びこの把持部に回動自在に取付けられて上記把持部の回動操作により上ボディの折り返し係止溝と係止離脱する係止フックを有している請求項１〜７のいずれか１つの項に記載の組み立て式バンガロー。
【請求項９】
上記柱部の上端部に嵌合する底部を有する筒体と、この筒体から側方に突出して互いに直交する上部フレーム体の各端部にそれぞれ挿入する一対の突起部と、上記筒体の底部を貫通して設けられて上記ループポールの端部に結合可能としたボルトを一体的に具備した上部ジョイントを備えている請求項２〜８のいずれか１つの項に記載の組み立て式バンガロー。
【請求項１０】
上記ループポールの両端部にそれぞれ設けられて上記上部ジョイントのボルトが挿通する貫通孔を有し、この貫通孔に挿通した上部ジョイントのボルトにナットをねじ込むことでループポールと上記柱部とを結合するポールジョイントを備えている請求項９に記載の組み立て式バンガロー。
【請求項１１】
上記屋根材は、対角線の長さが上記ループポールの長さよりも短い矩形状の布材から成り、この矩形状を成す布材の四隅には、上記ループポールの端部を挿入するポケットが設けてある請求項１〜１０のいずれか１つの項に記載の組み立て式バンガロー。
【請求項１２】
上記床板材は矩形状を成し、隣接する床板材との連結用凹凸部を少なくとも３辺に有していると共に、表裏を貫通する連通孔を複数有している請求項２〜１１のいずれか１つの項に記載の組み立て式バンガロー。
【発明の詳細な説明】
【０００１】
【発明の属する技術分野】
本発明は、例えば、海山などのリゾート地において、簡易宿泊所や簡易休憩所として用いるのに好適な組み立て式バンガローに関するものである。
【０００２】
【従来の技術】
一般に、海辺や山などのリゾート地では、観光客用の簡易宿泊所や簡易休憩所として、テントやバンガローが使用されているが、テントの場合には、構造が堅固であるとは言えないことから、強風や豪雨に弱いという欠点があるうえ、平らな場所に設置する必要があること、地面から上がってくる湿気と冷気に弱いことといった不便な点が多かった。
【０００３】
したがって、近年においては、テントよりも堅牢であり、床面が地面から隔てられている分だけ水没したり湿気や冷気に悩まされたりする恐れがほとんどなく、しかも、周辺の全景を眺め得るバンガローが多用されている（例えば、特許文献１参照。）。
【０００４】
【特許文献１】
特開平１０−１２１７５１号公報
【０００５】
【発明が解決しようとする課題】
ところが、上記した従来のバンガローにおいて、通常の家屋を建てる時と同様に、木材や煉瓦等の資材を用いて建てるようにしているので、材料費は勿論のこと、熟練した技術者をも必要とし、その結果、全体の建築コストが高くつくうえ、建築に多大な時間を要してしまうという問題があった。
【０００６】
また、従来のバンガローは、通常の家屋と同様にして建築するため、移動がほとんど不可能であり、建築場所が制約を受ける、即ち、建築場所が木石の位置や地面の高低等の制約を受けるという問題を有しているうえ、一度建築した後は、分解して再使用することができないため、資源の浪費と環境汚染を引き起こすという問題もあり、これらの問題を解決することが従来の課題となっていた。
【０００７】
【発明の目的】
本発明は、上記した従来の課題に鑑みてなされたものであり、組み立て及び解体を簡単に行うことができると共に、制約を受けることなく設置することが可能であり、加えて、資源の無駄使い及び環境汚染を招くことのない組み立て式バンガローを提供することを目的としている。
【０００８】
【課題を解決するための手段】
本発明の組み立て式バンガローは、複数の支柱と、上記支柱の下端寄りの部位同士を離間可能に連結する下部フレーム体と、上記支柱の上端同士を離間可能に連結する上部フレーム体と、上記下部フレーム体で囲まれた内部において下部フレーム体間に取り外し可能に架設する床支持フレーム体と、上記支柱の上端間においてアーチ状に湾曲した状態で取り外し可能に架設するループポールと、上記下部フレーム体で囲まれた内部で且つ上記床支持フレーム体上に取り外し可能に設置する床と、上記上部フレーム体で囲まれた空間を覆うべく上記ループポール上に取り外し可能に設置する屋根材を備えている構成としており、このような組み立て式バンガローの構成を前述した従来の課題を解決するための手段としている。
【０００９】
また、本発明の組み立て式バンガローにおいて、長さ調節可能な脚部及び長さ調節可能な柱部から成る複数の支柱と、上記支柱の脚部の上端同士を離間可能に連結する下部フレーム体と、上記支柱の柱部の上端同士を離間可能に連結する上部フレーム体と、上記下部フレーム体で囲まれた内部において下部フレーム体間に取り外し可能に架設する床支持フレーム体と、上記支柱の上端間においてアーチ状に湾曲した状態で取り外し可能に架設するループポールと、互いに離間可能に連結されて上記下部フレーム体で囲まれた内部で且つ上記床支持フレーム体上に取り外し可能に設置する複数枚の床板材と、上記上部フレーム体で囲まれた空間を覆うべく上記ループポール上に取り外し可能に設置する屋根材を備えている構成としており、このような組み立て式バンガローの構成を前述した従来の課題を解決するための手段としている。
【００１０】
【発明の実施の形態】
本発明の組み立て式バンガローにおいて、上記脚部が、互いに直径が異なり且つ複数の長さ調節用孔を長手方向に沿って有する複数のチューブを入れ子式に連結して成り、上記複数のチューブの互いに重ね合わせた長さ調節用孔に挿通して軸方向の移動を規制する固定ピンを具備している構成を採用することができるほか、上記脚部が、上記脚部の最も下側に位置するチューブに上端部を挿入し且つ下端部を尖頭状に形成したボディと、このボディの周囲に位置する外向きフランジと、上記ボディの尖頭状をなす下端部から軸方向に突出して設けた釘状部材とから成る固定部材を具備している構成を採用することが可能である。
【００１１】
また、本発明の組み立て式バンガローでは、上記柱部が、筒状の外側管体及びこの外側管体に摺動自在に挿入する筒状の内側管体を具備し、上記外側管体には多数の長さ調節用孔を長手方向に沿って所定の間隔をおいて形成すると共に、内側管体には押し込み可能に表面から突出して外側管体の適宜長さ調節用孔に係止する弾性係止突起を設けた構成を採用することができる。
【００１２】
さらに、本発明の組み立て式バンガローでは、上記下部フレーム体が、互いに同一の断面形状を有する一対の管体及びこれら一対の管体の双方の中空部に挿入する連結部材を具備し、上記管体には係止孔をそれぞれ設けると共に、上記連結部材の中空部挿入部分には押し込み可能に表面から突出して管体の係止孔に係止する弾性係止突起をそれぞれ設けた構成を採用することができる。
【００１３】
さらにまた、本発明の組み立て式バンガローでは、上記脚部の最も上側に位置するチューブに上端部を挿入する挿入部と、この挿入部の上方に位置して互いに直交する下部フレーム体の各端部をそれぞれ収容する一対の収容溝と、上記挿入部の中心及び上記収容溝を貫通して設けられて上記柱部の下端部にねじ込み可能としたボルトを一体的に具備した下部ジョイントを備えている構成や、上記下部フレーム体の上側部分を取り囲む上ボディと、この上ボディに回動自在に結合されて上記下部フレーム体の下側部分を取り囲む下ボディを有するクランプを備え、上ボディは、開放端に位置する折り返し係止溝及び中間部に位置して上記床支持フレーム体の端部と結合するフランジを有し、下ボディは、開放端に回動自在に結合する把持部及びこの把持部に回動自在に取付けられて上記把持部の回動操作により上ボディの折り返し係止溝と係止離脱する係止フックを有している構成や、上記柱部の上端部に嵌合する底部を有する筒体と、この筒体から側方に突出して互いに直交する上部フレーム体の各端部にそれぞれ挿入する一対の突起部と、上記筒体の底部を貫通して設けられて上記ループポールの端部に結合可能としたボルトを一体的に具備した上部ジョイントを備えている構成を採用することが可能である。
【００１４】
さらにまた、本発明の組み立て式バンガローでは、上記ループポールの両端部にそれぞれ設けられて上記上部ジョイントのボルトが挿通する貫通孔を有し、この貫通孔に挿通した上部ジョイントのボルトにナットをねじ込むことでループポールと上記柱部とを結合するポールジョイントを備えている構成や、上記屋根材が、対角線の長さが上記ループポールの長さよりも短い矩形状の布材から成り、この矩形状を成す布材の四隅には、上記ループポールの端部を挿入するポケットが設けてある構成や、上記床板材が矩形状を成し、隣接する床板材との連結用凹凸部を少なくとも３辺に有していると共に、表裏を貫通する連通孔を複数有している構成を採用することが可能である。
【００１５】
【実施例】
以下、図面を参照しながら、本発明の組み立て式バンガローの一実施例を詳細に説明する。
【００１６】
図１に示すように、組み立て式バンガローは、互いに正方形をなすようにして地面に固設される４つの脚部（支柱）１０と、上記脚部１０の各上端に互いに直角をなして結合されて脚部１０同士を連結することにより正方形をなす下部フレーム体３０と、上記下部フレーム体３０に囲まれる内部において縦横に交差するように設けられる複数の床支持フレーム体５０と、上記脚部１０の各上端から上方に延出して設けられた複数の柱部（支柱）８０と、上記柱部８０の上端間に正方形をなすようにして結合された上部フレーム体１００と、両端が対角線上で対向する一対の柱部８０の各上端にそれぞれ結合されてアーチ状をなすようにして互いに交差する一対のループポール１１０を備えており、図２に示すように、上記下部フレーム体３０で囲まれる内部で且つ複数の床支持フレーム体５０上には、矩形状を成す複数の床板材７０が互いに結合された状態で設置してあると共に、上記ループポール１１０上には、日差しや雨除けのための屋根材としての布材１２０が被覆してある。
【００１７】
図３に示すように、脚部１０は、直径が互いに異なる３つのチューブ１１、１２、１３を入れ子式に互いに連結した伸縮自在構造を有しており、上記チューブ１１、１２、１３には、それぞれの長手方向に沿って多数の長さ調節用孔１１ａ、１２ａ、１３ａが形成してあって、上記孔１１ａ、１２ａ、１３ａに固定ピン１５を挿入することで、脚部１０を所望する長さに調節することができるようになっている。
【００１８】
例えば、図３における要部Ａの拡大図である図４に示すように、上記チューブ１１、１２、１３のうちで最も大径の上部チューブ１１と、中径の中間部チューブ１２の各孔１１ａ、１２ａが連通した状態で、この孔１１ａ、１２ａに固定ピン１５を挿入することにより、中間部チューブ１２は上部チューブ１１から所定の長さだけ延びた状態で固定され、これと同様に、最も小径の下部チューブ１３も上記中間部チューブ１２から所定の長さだけ延びた状態で固定されることにより、脚部１０の長さを調節することができる。
【００１９】
この場合、下部チューブ１３の下端には、地面に固定される固定部材１４が結合してある。上記固定部材１４は、上端部が下部チューブ１３の下端部に挿入され、他端部が尖頭状に形成されて地面に固定されるボディ１４ａと、上記ボディ１４ａの周囲に設けられた外向きフランジ１４ｂを備えており、脚部１０を地面に固定する際には、上記外向きフランジ１４ｂが地面上で支えられることで脚部１０の沈下が抑えられるようになっている。また、上記ボディ１４ａの下端には、脚部１０を岩や石上に固設する際の滑りを抑えるべく釘状部材１６が設けられている。
【００２０】
なお、図３における符号２１は、後述する下部ジョイント２０（図８参照）の挿入部を示し、符号２４は、脚部１０と柱部８０とを結合するためのボルトを示す。
【００２１】
図５に示すように、下部フレーム体３０は、断面が互いに同一の大きさの長方形状を成す一対の管体３１、３１’及びこれら一対の管体３１、３１’の双方の中空部に挿入されて管体３１、３１’同士を連結する連結部材３２で構成されており、この連結部材３２の全長の半分は図示左側の管体３１に挿入され、残りの半分は図示右側の管体３１’に挿入される。管体３１、３１’の各一端は開放されており、各他端には管体３１、３１’の断面積の１／２程度の断面積を有する終端ブロック３３が結合されている。
【００２２】
また、上記連結部材３２の両端部には、一対の弾性係止突起３６が設けてあり、一方、管体３１、３１’には、係止孔３８がそれぞれ形成してある。上記弾性係止突起３６には、連結部材３２の上面から突出する方向の弾性力が付与されており、連結部材３２の内部に押し込み可能としてある。つまり、管体３１、３１’の開放された一端から連結部材３２を挿入すると、弾性係止突起３６が管体３１、３１’の係止孔３８に係止されて、管体３１、３１’同士が互いに連結することとなる。
【００２３】
この実施例において、連結部材３２の一側面には、その長手方向に沿って補強部材３４が設けてある。この補強部材３４は、連結部材３２の強度を増すためのものであって、ステンレス鋼で作製することが好ましい。また、管体３１、３１’の他端に結合されている終端ブロック３３には、脚部１０と柱部８０とを結合するためのボルト２４を挿通させる貫通孔３３ａが形成してある。
【００２４】
図６に示すように、柱部８０は、断面円形状を成す外側管体８２及びこの外側管体８２に摺動自在に挿入する断面円形状を成す内側管体８１を具備しており、上記外側管体８２には、多数の長さ調節用孔８２ａが長手方向に沿って所定の間隔をおいて形成してあると共に、内側管体８１には、弾性片８８により弾力的に支えられた状態の弾性ボタン（弾性係止突起）８７が押し込み可能に表面から突出して設けてある。
【００２５】
具体的には、図６における要部Ｂの拡大図である図７に示すように、弾性ボタン８７は、弾性片８８により内側管体８１に形成されている孔８１ａから弾力的に出没自在に設けられている。つまり、内側管体８１の孔８１ａと外側管体８２の長さ調節用孔８２ａとが互いに連通していない状態にいて、弾性ボタン８７は、外側管体８２の内面と当接するようになるため、内側管体８１の内部に押し込まれ、上記孔８１ａと長さ調節用孔８２ａとが連通すると、弾性ボタン８７が弾性片８８の復元力により長さ調節用孔８２ａから突出して、内側管体８１を所望の位置に固定する。これにより、柱部８０の長さを調節することができる。
【００２６】
一方、外側管体８２の下端には、フランジを有する円筒状の終端部材８３が設けてあり、この終端部材８３の内周面には、ナット８４（図８参照）を収容するナット溝８３ａが形成してある。
【００２７】
そこで、上記構成の脚部１０と、下部フレーム体３０と、柱部８０との結合部分を詳細に説明する。
【００２８】
図８に拡大して示すように、上記脚部１０、下部フレーム体３０及び柱部８０は、下部ジョイント２０により互いに結合される。この下部ジョイント２０は、円柱状をなす挿入部２１と、この挿入部２１の上方に位置して互いに直交する一対の収容溝２２、２２’と、上記挿入部２１の中心を通り抜けて収容溝２２、２２’上に突出するようにして設けたボルト２４を備えている。
【００２９】
上記下部ジョイント３０の挿入部２１は、脚部１０の最も上側に位置するチューブ１１に挿入される。また、収容溝２２、２２’は、下部フレーム体３０における管体３１の各端部に設けた終端ブロック３３を互いに上下に重ねた状態で収容する。この際、上記ボルト２４は、管体３１の各終端ブロック３３にそれぞれ形成されている貫通孔３３ａを通り抜けて終端ブロック３３上に突出する。そして、終端ブロック３３上に露出したボルト２４の上端は、外側管体８２の下端に設けられた終端部材８３の内部に挿入され、この終端部材８３のナット溝８３ａに収められているナット８４に締め付けられる。
【００３０】
なお、図示はしていないが、下部フレーム体３０に囲まれた内部において縦横に交差するように設けられた床支持フレーム体５０は、上記下部フレーム体３０と同様の構造を成すようにしてもよい。
【００３１】
図９に示すように、下部フレーム体３０と床支持フレーム体５０とは、クランプ６０により互いに結合される。
【００３２】
上記クランプ６０は、図１０に示すように、下部フレーム体３０の上側部分を取り囲む上ボディ６１と、この上ボディ６１にヒンジ部６３を介して回動自在に結合されて下部フレーム体３０の下側部分を取り囲む下ボディ６２を備えている。上記上ボディ６１及び下ボディ６２は、それぞれ９０°の角度をもって折り曲げてあり、互いに結合した状態で下部フレーム体３０のほぼ３面を取り囲むようになっている。
【００３３】
上記下ボディ６２の先端には、把持部６４が回動自在に結合されており、この把持部６４には、その回動中心から所定の間隔だけ離れた位置に係止フック６５が回動自在に結合されている。また、上記上ボディ６１の上面の先端には、上記係止フック６５が係止される折り返し係止溝６６が形成してある。
【００３４】
また、上ボディ６１の背面には、床支持フレーム体５０との結合のための一対のフランジ６８が外側に向けて設けてあり、これらのフランジ６８の間隔は、床支持フレーム体５０の幅とほぼ同一に形成してある。そして、各フランジ６８には、床支持フレーム体５０とのネジ止め（又はリベット止め）用の複数の貫通孔６８ａが形成してある。
【００３５】
このクランプ６０では、係止フック６５を係止溝６６上に位置させた状態において、把持部６４を下方に押し下げて下ボディ６２側に回動させると、係止フック６６が係止溝６６に完全に収まることとなり、これにより、下部フレーム体３０上に固定されることとなる。そして、床支持フレーム体５０は、その端部がフランジ６８の間に挿入された状態で、貫通孔６８ａを通り抜けたボルト又はリベットにより上記フランジ６８に結合される。
【００３６】
上記クランプ６０において、上ボディ６１と下ボディ６２とが回動自在に結合されているため、下部フレーム体３０に簡単に取り付けたり外したりすることができる。この結果、上記クランプ６０を用いることにより、下部フレーム体３０と床支持フレーム５０とを容易に結合又は分離することができる。
【００３７】
なお、図示はしていないが、上記クランプ６０は、床支持フレーム体５０同士を相互に結合する際にも用いられる。
【００３８】
図１１に拡大して示すように、柱部８０と、上部フレーム体１００と、ループポール１１０とは、柱部８０の上端、好ましくは、内側管体８１の上端に設けた上部ジョイント４０により互いに結合される。
【００３９】
この上部ジョイント４０は、柱部８０の内側管体８１の上端部に嵌合する底部を有する筒状を成しており、下側部分には、上部フレーム体１００との結合のための一対の突起部４１が互いに直交して設けてあると共に、ループポール１１０との結合のためのボルト４４が底部を貫通して設けてある。
【００４０】
上部フレーム体１００は、両端が開放された円筒状管体からなり、この開放された端部に上部ジョイント４０の突起部４１を挿入することで、上部ジョイント４０との結合がなされる。また、上部フレーム体１００の上面には、貫通孔１００ａが形成してあり、上記突起部４１には、上記貫通孔１００ａと対応する位置に挿入溝４１ａが形成してある。上部フレーム体１００の端部を突起部４１に挿入した状態において上記貫通孔１００ａと挿入溝４１ａは連通しており、上記貫通孔１００ａを通して上記挿入溝４１ａに固定ピン９２を挿入することにより、上部フレーム体１００は、上部ジョイント４０に固定されることとなる。
【００４１】
この場合、上記固定ピン９２の上端をフック状に形成すれば、バンガローの周りに蚊帳（図示せず）やフライ（図示せず）を設置する場合において、蚊帳やフライの一端を固定ピン９２の上端に縛ることができる。
【００４２】
図面において具体的に示していないが、上部フレーム体１００は、上記下部フレーム体３０と同様の構造を成すようにしてもよい。
【００４３】
また、図６では示していないが、上記内側管体８１の上端部にも弾性片８８’により弾力的に支えられる弾性ボタン８７’を更に設けることができる。この場合、弾性ボタン８７’は、内側管体８１の外部に突出した状態で上部ジョイント４０の内周面を押圧することになり、上部ジョイント４０と内側管体８１との間に摩擦による固定力を生じさせる。
【００４４】
上記ループポール１１０は、弾力性に優れており、高い引張強度及び撓み強度を有するジュラルミン材質で形成することが好ましい。ループポール１１０の両端部には、ポールジョイント１１３が設けてある。このポールジョイント１１３には貫通孔１１３ａが形成してあり、このポールジョイント１１３の貫通孔１１３ａを挿通させた上部ジョイント４０のボルト４４に、キャップナット１３０をネジ止めすることにより、上記ループポール１１０と上部ジョイント４０との結合がなされることとなる。
【００４５】
図１２に示すように、ループポール１１０は、その強度を補強すべく、相対的に大径の一対の大径ポール１１１、１１１’と、両端部を大径ポール１１１、１１１’に挿入することにより大径ポール１１１、１１１’間を連結する連結ポール１１２とから構成することが好ましい。
【００４６】
上記布材１２０は矩形状を成しており、図１２における要部Ｃの拡大図である図１３に示すように、四隅には、上記ループポール１１０の端部を挿入するポケット１２２が設けてある。
【００４７】
この場合、布材１２０の対角線の長さは、ループポール１１０の長さよりも短くしてあって、ループポール１１０の両端部を布材１２０の対角線上で対向するポケット１１２に挿入すると、その中央部が上方に盛り上がってアーチ状に湾曲するようになっている。そして、布材１２０には、２つのループポール１１０が交差する位置においてループポール１１０同士を縛るための紐（図示ぜす）が設けてある。
【００４８】
図１４に示すように、床板材７０は矩形状を成し、隣接する床板材７０と当接する各辺には、多数の突起７２と溝７７とを交互に連続させた連結用凹凸部が形成してあり、図２に示すように、床板材７０は、その突起７２を隣接する他の床板材７０の溝７７に挿入することにより、他の床板７０と結合することとなる。
【００４９】
床板材７０を床支持フレーム体５０上に設ける際には、突起７２と溝７７とを有していない辺が下部フレーム体３０の外部に向かうように配設する。この結果、床板材７０への上がり降りの際に突起７２に邪魔されることが回避される。
【００５０】
図１４において、突起７２と溝７７とを交互に連続させた連結用凹凸部が３辺に形成されている床板材７０を示しており、下部フレーム体３０に沿って外側に配置される床板材７０を示している。これに対して、図２に示すように、下部フレーム体３０の内側に配設される床板材７０には、突起７２と溝７７とを交互に連続させた連結用凹凸部を４辺の全てに形成してある床板材７０を採用する。
【００５１】
図１４は、下部フレーム体３０に囲まれた空間、即ち、縦横に連結された床支持フレーム体５０上に設けられる床板材７０の一例を示しており、この際、床板材７０に表裏を貫通する多数の長孔７０ａを形成することで、床板材７０の重さを軽減することができるうえ、通風及び掃除が容易になる。上記長孔７０ａの形状や個数と配列模様等は図示例に限定されるものではないが、小径の孔を所定のパターンで繰り返して形成することで美麗さを増進し、且つ着席時の座り心地を高めることができる程度であることが望ましい。
【００５２】
図１５は、本発明の組立て式バンガローの他の実施例を示している。
【００５３】
図１５に示すように、このバンガローは、布材１２０の端部から地面に対して平行に延設された庇幕１２６と、柱部８０から所定の距離だけ隔てて設けられて上記庇幕１２６を支える一対の補助柱９０を備えている。このように、庇幕１２６を設置することにより、バンガローの使用空間が増大するという効果が得られる。
【００５４】
また、別に示してはいないが、バンガローの側面には、蚊帳やフライ等を設置することもできる。蚊帳やフライは、前述したように、上部フレーム体１００の端部に設けられた固定ピン９２（図１１参照）の上端部に縛ることができ、上部フレーム体１００、下部フレーム体３０又は柱部８０に直接縛ることもできる。また、フライ（図示せず）は、透明または半透明に製作することができ、一部分だけを他の材質で構成することもできる。
【００５５】
次に、本発明の組立て式バンガローの組み立て要領を順をおって説明する。
【００５６】
まず、図８に示すように、脚部１０の上端部に下部ジョイント２０を結合し、一対の下部フレーム体３０を下部ジョイント２０の収容溝２２、２２’にそれぞれ挿入する。このとき、下部フレーム体３０の各終端ブロック３３同士は互いに重なり合い、下部ジョイント２０のボルト２４は、終端ブロック３３の貫通孔３３ａを通り抜けて終端ブロック３３上に突出する。そして、終端ブロック３３上に突出したボルト２４の上端部には、柱部８０の下端に設けた終端部材８３が結合され、ボルト２４は終端部材８３内に設けたナット８４にネジ止めされる。
【００５７】
以上のように、脚部１０、下部フレーム体３０、及び柱部８０の結合が完了すると、地面の土壌状態、高さ、傾斜等のような設置場所の環境を考慮して、上記脚部１０の長さ調節作業を行い、下部フレーム体３０の水平出し及び高さの調節をする。脚部１０の長さの調節は、図３を参照して説明したように、脚部１０の各チューブ１１、１２、１３に形成されている長さ調節用孔１１ａ、１２ａ、１３ａが揃った状態で、上記各孔１１ａ、１２ａ、１３ａに固定ピン１５を挿入することにより行う。
【００５８】
次いで、下部フレーム体３０の内側に床支持フレーム体５０をクランプ６０により縦横に結合する。具体的には、図９及び図１０に示すように、下部フレーム体３０をクランプ６０の上ボディ６１と下ボディ６２との間に結合し、床支持フレーム体５０を上ボディ６１の背面に突設した一対のフランジ６８の間に挿入して、フランジ６８の貫通孔６８ａを通してボルト又はリベットで締め付けることにより、下部フレーム体３０と結合する。一方、床支持フレーム５０同士の結合も下部フレーム体３０と支持フレーム体５０との結合と同様に、クランプ６０により行う。
【００５９】
このようにして、床支持フレーム体５０の組み立てを終えた後、図１４を参照して説明したように、床支持フレーム体５０上に床板７０を敷設する。
【００６０】
次いで、図１１に示すように、柱部８０の上端に上部ジョイント４０を取り付け、上部フレーム体１００を上部ジョイント４０の突起部４１に押し込むのに続いて、固定ピン９２を上部フレーム体１００の貫通孔１００ａを通して突起部４１の挿入溝４１ａに押し込む。
【００６１】
次に、図１２に示すように、布材１２０に一対のループポール１１０を互いに対角線方向に交差するようにして配置する。これらのループポール１１０は、布材１２０の四隅に設けたポケット１２２に各々の端部を挿入することにより取付ける。この際、ループポール１１０は、その長さが布材１２０の対角線の長さよりも長いためアーチ状に湾曲する。そして、互いに交差するループポール１１０同士を紐で縛る。
【００６２】
この後、図１１に示すように、上記ループポール１１０の端部のポールジョイント１１３に設けた貫通孔１１３ａに上部ジョイント４０の上端のボルト４４を挿通し、ポールジョイント１１３上に露出したボルト４４の上端部にキャップナット１３０をネジ止めする。
【００６３】
以上のような工程を経て、柱部８０と、上部フレーム体１００と、ループポール１１０と、布材１２０との結合が完了した後、弾性ボタン８７を操作して、柱部８０の長さ調節を行って、上部フレーム体１００の水平出し及び高さの調節をする。
【００６４】
即ち、図６に示すように、使用者は片手で上記外側管体８２の孔８２ａから外に突出している弾性ボタン８７を押した状態で、他方の手では、内側管体８１を外側管体８２内で上下に昇降させることにより、柱部８０の長さ（上部フレーム体１００の高さ）を段階的に調節することができる。
【００６５】
一方、以上で説明したバンガローの組み立て順序は、バンガローの用途や使用者の好みに応じて適宜変更し得るものであり、バンガローの解体順序は、上述した組み立て順序と逆にすればよい。
【００６６】
以上、図面を参照しながら本発明の組立て式バンガローの一実施例について説明したが、本発明の組立て式バンガローの詳細な構成は上記した実施例に限定されるものではない。
【００６７】
【発明の効果】
以上説明したように、本発明の組立て式バンガローによれば、上記した構成としたため、バンガローの骨組をなす脚部、柱部、下部フレーム体、上部フレーム体、床支持フレーム体、ループポール等の構成部材を互いに着脱自在に結合することができ、したがって、誰でもが簡単に組み立てたり解体したりすることができる。
【００６８】
また、本発明の組立て式バンガローによれば、バンガローをなす上記構成部材もより細かい部品に分解することができるため、自動車のトランク等にも容易に積み込むことができ、携帯性に優れているという長所がある。
【００６９】
さらに、本発明の組立て式バンガローによれば、脚部を伸縮自在な構造にすることにより、その長さを容易に調節することができ、その結果、地面の高さが一様でない場合でも、脚部の長さを調節することにより、バンガローを所望の高さで水平に設置することができる。
【００７０】
さらにまた、本発明の組立て式バンガローによれば、柱部も伸縮自在な構造にしているため、バンガローの屋根の高さを自由自在に調節することができ、加えて、下部フレーム体と床板材との配列により、リゾート地等でテントの代用として使用できるのみならず、平床や、催し会場での臨時案内所等のような様々な用途に使用することができる。
【図面の簡単な説明】
【図１】本発明の一実施例による組立て式バンガローの骨組を示す斜視図である。
【図２】本発明の一実施例による組立て式バンガローの完成状態を示す斜視図である。
【図３】図１における組立て式バンガローの脚部の断面斜視図である。
【図４】図３における要部Ａを拡大して示す図である。
【図５】図１における組立て式バンガローの下部フレーム体の分解斜視図である。
【図６】図１における組立て式バンガローの柱部の断面斜視図である。
【図７】図６における要部Ｂを拡大して示す図である。
【図８】図１における組立て式バンガローの脚部と下部フレーム体と柱部との結合部位を拡大して示す図である。
【図９】図１における組立て式バンガローの下部フレーム体と支持フレーム体とのクランプを用いた結合部位を拡大して示す図である。
【図１０】図９に示したクランプの斜視図である。
【図１１】図１における組立て式バンガローの柱部と上部フレーム体とループポールとの結合部位を拡大して示す図である。
【図１２】図１における組立て式バンガローのループポール上に布材が設置された状態を示す図である。
【図１３】図１２における要部Ｃを拡大して示す図である。
【図１４】図１における組立て式バンガローの床板材の一例を示す斜視図である。
【図１５】本発明の他の実施による組立て式バンガローの完成状態を示す斜視図である。
【符号の説明】
１０  脚部
１１，１２，１３  チューブ
１４  固定部材
１６  釘部材
２０  下部ジョイント
２１  挿入部
２２  収容溝
２４  ボルト
３０下部フレーム体
３１  管体
３２  連結部材
３６  弾性係止突起
３８  係止孔
４０  上部ジョイント
４１  突起部
４４  ボルト
５０  床支持フレーム体
６０  クランプ
６１  上ボディ
６２  下ボディ
６４  把持部
６５  係止フック
６６  折り返し係止溝
６８  フランジ部
７０  床板材
７０ａ  長孔
７２  突起（連結用凹凸部）
７７  溝（連結用凹凸部）
８０  柱部
８１  内側管体
８２  外側管体
８７  弾性ボタン
９２  固定ピン
１００  上部フレーム体
１１０  ループポール
１１３  ポールジョイント
１２０  布材（屋根材）
１２２  ポケット
【図１】
2004270432.tif 000003
【図２】
2004270432.tif 000004
【図３】
2004270432.tif 000005
【図４】
2004270432.tif 000006
【図５】
2004270432.tif 000007
【図６】
2004270432.tif 000008
【図７】
2004270432.tif 000009
【図８】
2004270432.tif 000010
【図９】
2004270432.tif 000011
【図１０】
2004270432.tif 000012
【図１１】
2004270432.tif 000013
【図１２】
2004270432.tif 000014
【図１３】
2004270432.tif 000015
【図１４】
2004270432.tif 000016
【図１５】
2004270432.tif 000017